(57)【特許請求の範囲】
【請求項１】
データの記録、及び／または再生が可能な光記録媒体であって、
データ消去のための消去パターンの消去パルスのうち先頭パルスのパワーレベルは単位パルス列のハイレベルまたはローレベルであり、前記消去パルスの最後パルスと記録パルスの先頭パルスとの間のパワーレベルは単位パルス列のハイレベルまたはローレベルであることを示す情報を含む消去パターン情報を貯蔵していることを特徴とする光記録媒体。
【請求項２】
前記消去パターン情報は、データ記録層の再生専用領域に書き込まれることを特徴とする請求項１に記載の光記録媒体。
【請求項３】
前記消去パターン情報は、データ記録層の記録可能領域に書き込まれることを特徴とする請求項１に記載の光記録媒体。
【請求項４】
データの記録、及び／または再生が可能な光記録媒体であって、
データの記録のための多数の記録層を備え、前記多数の記録層のそれぞれについて、データ消去のための消去パターンの消去パルスのうち先頭パルスのパワーレベルは単位パルス列のハイレベルまたはローレベルであり、前記消去パルスの最後パルスと記録パルスの先頭パルスとの間のパワーレベルは単位パルス列のハイレベルまたはローレベルであることを示す情報を含む消去パターン情報を貯蔵していることを特徴とする光記録媒体。
【請求項５】
前記多数の記録層のそれぞれに関する消去パターン情報を前記多数の記録層のうちから選択された何れか一つの記録層に貯蔵することを特徴とする請求項４に記載の光記録媒体。
【請求項６】
前記消去パターン情報は、前記選択された記録層の再生専用領域に書き込まれることを特徴とする請求項５に記載の光記録媒体。
【請求項７】
前記消去パターン情報は、前記選択された記録層の記録可能領域に書き込まれることを特徴とする請求項５に記載の光記録媒体。
【請求項８】
前記多数の記録層のそれぞれに関する消去パターン情報は、該当記録層にそれぞれ貯蔵されることを特徴とする請求項４に記載の光記録媒体。
【請求項９】
各記録層に関する消去パターン情報は、該当記録層の再生専用領域にそれぞれ書き込まれることを特徴とする請求項８に記載の光記録媒体。
【請求項１０】
前記消去パターン情報は、該当記録層の記録可能な領域に書き込まれることを特徴とする請求項８に記載の光記録媒体。
【請求項１１】
前記消去パターンの先頭パルスのパワーレベルは単位パルス列の“ハイ”レベルであり、最後パルスのパワーレベルは単位パルス列の“ハイ”レベルであることを特徴とする請求項８に記載の光記録媒体。
【請求項１２】
前記消去パターンの先頭パルスのパワーレベルは単位パルス列の“ロー”レベルであり、最後パルスのパワーレベルは単位パルス列の“ロー”レベルであることを特徴とする請求項８に記載の光記録媒体。
【請求項１３】
前記消去パターンの先頭パルスのパワーレベルは単位パルス列の“ハイ”レベルであり、最後パルスのパワーレベルは単位パルス列の“ロー”レベルであることを特徴とする請求項８に記載の光記録媒体。
【請求項１４】
前記消去パターンの先頭パルスのパワーレベルは単位パルス列の“ロー”レベルであり、最後パルスのパワーレベルは単位パルス列の“ハイ”レベルであることを特徴とする請求項８に記載の光記録媒体。
【請求項１５】
データの記録、及び／または再生が可能な光記録媒体に消去パターン情報を記録する装置であって、
前記光記録媒体にデータを記録する記録部と、
データ消去のための消去パターンの消去パルスのうち先頭パルスのパワーレベルは単位パルス列のハイレベルまたはローレベルであり、前記消去パルスの最後パルスと記録パルスの先頭パルスとの間のパワーレベルは単位パルス列のハイレベルまたはローレベルであることを示す情報を記録するように前記記録部を制御する制御部と、を備えることを特徴とする装置。
【請求項１６】
前記制御部は、前記記録部が光記録媒体の記録層の再生専用領域に消去パターン情報を記録するように制御することを特徴とする請求項１５記載の装置。
【請求項１７】
前記制御部は、前記記録部が光記録媒体の記録層の記録可能領域に消去パターン情報を記録するように制御することを特徴とする請求項１５記載の装置。
【発明の詳細な説明】
【０００１】
【発明の属する技術分野】
本発明は光記録媒体に係り、特に、消去パターンのパワー情報を貯蔵している光記録媒体に関する。
【０００２】
【従来の技術】
光記録媒体の一つである光ディスクにデータを記録するということは、光ディスクに形成されたトラックにマークを形成することを意味する。現在、記録、消去及び再生が可能な光ディスクとしては、６５０ＭＢ級のＲＷ、４．７ＧＢ級のＤＶＤ−ＲＡＭ／Ｒ／ＲＷ、４．７ＧＢ級のＤＶＤ＋ＲＷなどがあり、今後販売予定である２３ＧＢ級以上の容量をもつＨＤ−ＤＶＤ向けがある。記録可能なディスクの場合、記録層には温度によって結晶質または非晶質に変わる相変化膜が塗布されており、マークは相変化膜の相変化を通じて形成される。このように記録可能な媒体の場合、記録／再生特性を最適化させるために記録方策という技術を導入しており、前記各記録媒体によってその記録方策を相異ならせて適用する。さらに、ドライブによって記録条件が変わる結果、光記録媒体とドライブとの間の互換性がない可能性があるといった問題点がある。
【０００３】
【発明が解決しようとする課題】
前記問題点を解決するために、本発明の目的は、消去パターンの先頭及び最後パルスのパワーレベルに関する情報が記録されていることから、いかなるドライブに挿入されてもデータ消去に必要な最適のパワーレベルを容易に見つけることのできる光記録媒体を提供するところにある。
【０００４】
【課題を解決するための手段】
前記目的を達成するために、データの記録、消去及び再生が可能な本発明に係る光記録媒体は、データ消去のための消去パターンの先頭パルスのパワーレベル及び最後パルスのパワーレベルに関する情報を含む消去パターン情報を貯蔵していることが好ましい。
【０００５】
【発明の実施の形態】
以下、添付した図面を参照して本発明の好適な実施形態を詳細に説明する。
【０００６】
図１は、光記録媒体の各領域を示す図であって、光記録媒体はバーストカット領域（以下、ＢＣＡという）、プレレコード領域及び記録／再生領域を含んでなる。ＢＣＡは、ディスク番号などのディスク固有情報が半径方向にバーコードの形で記録されている。プレレコード領域は、再生専用のデータが高周波ウォッブルまたはピットにより形成された領域である。プレレコード領域に記録されたデータには、ディスクのタイプ、ディスクのサイズ、チャンネルビット長、ディスクの構造、記録及び消去パターンの時間、記録パワーなどが記録されている。本発明に係る光記録媒体においては、再生専用のプレレコード領域またはデータの記録及び再生のための記録／再生領域にデータ消去のための消去パターンの先頭パルス及び最後パルスのパワーレベルに関する消去パターン情報を記録する。以下、説明の便宜のために、前記消去パターン情報はプレレコード領域に貯蔵されるとして説明する。
【０００７】
一方、光ディスクに記録されたデータを消去するための消去パターンの先頭パルス及び最後パルスのパワーレベルの組み合わせは、ディスク記録層のタイプまたはディスクのタイプによって、図２に示されたように、４タイプに分類することができる。
【０００８】
図２を参照するに、消去パターンは（ａ）ＬＨ、（ｂ）ＨＨ、（ｃ）ＨＬ及び（ｄ）ＬＬの４タイプに分類される。各消去パターンの違いが容易に区別可能に○にて示されている。まず、（ａ）ＬＨは、消去パターンを構成する先頭パルスのパワーが次の消去マルチパルスの“ロー”レベル（図３のＰＢＥ）と同じであり、消去パターンを構成する最後の消去マルチパルスが“ロー”レベル（図３のＰＢＥ）で終了した後、次の消去パターンの最後パルスＴｓｆｐのパワーレベルが消去マルチパルスの“ハイ”レベル（図３のＰＰＥ）と同じである時を言う。（ｂ）ＨＨは、消去パターンを構成する先頭パルスのパワーが次の消去マルチパルスの“ハイ”レベル（図３のＰＰＥ）と同じであり、消去パターンを構成する最後の消去マルチパルスが“ハイ”レベル（図３のＰＰＥ）で終了した後、次の消去パターンの最後パルスＴｓｆｐのレベルが消去マルチパルスの“ハイ”レベル（図３のＰＰＥ）に保持される時を言う。（ｃ）ＨＬは、消去パターンを構成する先頭パルスのパワーが次の消去マルチパルスの“ハイ”レベル（図３のＰＰＥ）と同じであり、消去パターンを構成する最後の消去マルチパルスが“ハイ”レベル（図３のＰＰＥ）で終了した後、次の消去パターンの最後パルスＴｓｆｐのレベルが消去マルチパルスの“ロー”レベル（図３のＰＢＥ）と同じである時を言う。最後に、（ｄ）ＬＬは、消去パターンを構成する先頭パルスのパワーが次の消去マルチパルスの“ロー”レベル（図３のＰＢＥ）と同じであり、消去パターンを構成する最後の消去マルチパルスが“ロー”レベル（図３のＰＢＥ）で終了した後、次の消去パターンの最後パルスＴｓｆｐのレベルが消去マルチパルスの“ロー”レベル（図３のＰＢＥ）に保持される時を言う。
【０００９】
このように、ディスク記録層のタイプ、ディスクのタイプまたは多層記録層である場合に各層別に異ならせて設定できる消去パターンの先頭パルス及び最後パルスが再生専用領域に記録された光記録媒体が記録装置に挿入されれば、記録装置は最適の消去パワーを選択するための別途のテストをする必要がないため、消去パワーレベルを定めるのにかかる時間を大幅に短縮させることができる。
【００１０】
図３は、図１に示された光記録媒体のデータゾーンにデータを記録するための記録波形の一例を示す図である。図３には、記録及び消去パターンの時間、記録パワーなどを表わす具体的な名称が共に示されている。
【００１１】
図４は、図１に示されたプレレコード領域に実質的に記録されるデータの一例を示す図である。プレレコード領域には、図３に示された波形の記録パターンについての時間、消去パターンについての時間が記録でき、これらに加えて、記録パワー、ディスクのタイプ、ディスクのサイズなどを記録することができる。また、プレレコード領域には記録に割り当てられていないバイトがあり、これらのうち一つのバイトに消去パターンの先頭パルスのパワーレベル及び最後パルスのパワーレベルに関する情報を記録することができる。図４には、バイト・ナンバー（以下、ＢＮという）Ｎを消去パターンの先頭パルスのパワーレベル及び最後パルスのパワーレベルについての情報記録に割り当てた。具体的に、ＢＮ Ｎの上位４ビットに消去パターンの先頭パルスのパワーレベルを定義し、下位４ビットに最後パルスのパワーレベルを定義できる。そして、消去マルチパルスの“ロー”レベル（図３のＰＢＥ）は０００１と定義し、且つ、消去マルチパルスの“ハイ”レベル（図３のＰＰＥ）は００００と定義すれば、図３に示された消去パターンの場合、ＢＮ Ｎには‘０００１００００’が記録される。記録装置は挿入された光ディスクのＢＮ Ｎに記録された‘０００１００００’を読み込むことにより、消去パターンの先頭パルスのパワーレベルがＰＢＥであり、最後パルスのパワーレベルがＰＰＥであることを別途のテスト過程なしに分かる。一方、図４中、Ｍはディスク情報を表わす領域の最後のバイトである。
【００１２】
図５は、記録媒体がデュアルレイヤの光記録媒体である場合、図１に示されたプレレコード領域に実質的に記録されるデータの一例を示す図である。ＢＮ Ｎには第１記録層Ｌ０についての消去パターンの先頭パルスのパワーレベル及び最後パルスのパワーレベルについての消去パターンの情報記録が割り当てられている。そして、ＢＮ Ｎ＋１には第２記録層Ｌ１についての消去パターンの先頭パルスのパワーレベル及び最後パルスのパワーレベルについての消去パターンの情報記録が割り当てられている。同様に、ＢＮ Ｎ及びＮ＋１の上位４ビットに消去パターンの先頭パルスのパワーレベルを定義し、下位４ビットに最後パルスのパワーレベルを定義できる。
【００１３】
一方、図５には、一つの記録層に２記録層の消去パターン情報を全て記録することを示したが、記録層のそれぞれに該当記録層についての消去パターン情報を分けて記録しても良い。
【００１４】
【発明の効果】
上述したように、本発明に係る消去パターンのパワー情報が貯蔵された光記録媒体によれば、ディスク記録層のタイプ、ディスクのタイプまたは多層記録層である場合に各層別に異ならせて設定できる消去パターンの先頭パルス及び最後パルスを光記録媒体の再生専用領域に記録することにより、記録装置が挿入された光記録媒体についての最適の消去パワーを選択するのにかかる時間を大幅に短縮させることができる。
【図面の簡単な説明】
【図１】光記録媒体の各領域を示す図である。
【図２】４タイプの消去パターンを示す波形図である。
【図３】図１に示された光記録媒体のデータゾーンにデータを記録するための記録波形の一例を示す図である。
【図４】図１に示されたプレレコード領域に実質的に記録されるデータの一例を示す図である。
【図５】記録媒体がデュアルレイヤ光記録媒体である場合、図１に示されたプレレコード領域に実質的に記録されるデータの一例を示す図である。
【図１】
0003924255.tif 000002
【図２】
0003924255.tif 000003
【図３】
0003924255.tif 000004
【図４】
0003924255.tif 000005
【図５】
0003924255.tif 000006